(57)【要約】【課題】低コストで屋根に設置でき、ランニングコストも低い屋根の融雪及び雪庇防止方法を提供すること。【解決手段】融雪及び雪庇防止工事として帯状又はシート状の発熱体１２，１６と伝熱シート１３、１４を瓦１１の上に敷設する。低コストで、しかも後加工で施工できる。発熱源として消費電力の少ないＬＥＤチップ１２ａの列の発熱を使用するので、低いランニングコストで凍結防止及び融雪方法を実施できる。また、ＬＥＤチップ１２ａの列はＤＣ電源で作動するので、漏電や感電の心配がない。帯状又はシート状の発熱体１２，１６は、ＬＥＤチップ１２ａの列を透明な軟質ポリ塩化ビニル樹脂１２ｅで被覆して防水性を付与することで、軒先の伝熱シート１３、１４の隙間から漏れ出るＬＥＤチップ１２ａの光で帯状又はシート状の発熱体１２，１６に通電されていることを視認でき、使い勝手が良い。【選択図】図１
2020133140.tif 000002
【特許請求の範囲】
【請求項１】
複数個のＬＥＤチップを並べ樹脂で被覆して防水性を付与した帯状又はシート状の発熱体を屋根材に敷設し、ＬＥＤチップの発光に伴う発熱で屋根材上の積雪を融雪し、または屋根材に雪庇が形成されるのを防止するようにしたことを特徴とする屋根の融雪及び雪庇防止方法。
【請求項２】
前記ＬＥＤチップとともに該ＬＥＤチップの点灯回路に含まれる回路素子を前記樹脂で被覆し、回路素子の発熱を融雪及び雪庇防止に利用することを特徴とする請求項１に記載の屋根の融雪及び雪庇防止方法。
【請求項３】
前記樹脂として透光性樹脂を用いることを特徴とする請求項１に記載の屋根の融雪及び雪庇防止方法。
【請求項４】
屋根材に伝熱シートを敷設し、伝熱シートの上に帯状の発熱体又はシート状の発熱体を敷設することを特徴とする請求項１に記載の屋根の融雪及び雪庇防止方法。
【請求項５】
帯状又はシート状の発熱体に伝熱シートを被せることを特徴とする請求項１に記載の屋根の融雪及び雪庇防止方法。
【請求項６】
断熱シートの上に帯状又はシート状の発熱体を張り付け、この断熱シートを屋根材に敷設することを特徴とする請求項１に記載の屋根の融雪及び雪庇防止方法。
【請求項７】
帯状又はシート状の発熱体を屋根の勾配に沿って棟側から軒側へ延びるように敷設することを特徴とする請求項１に記載の屋根の融雪及び雪庇防止方法。
【発明の詳細な説明】
【技術分野】
【０００１】
本発明は屋根の積雪を融雪し、軒先に雪庇が形成されるのを防止する屋根の融雪及び雪庇防止方法に関する。
【背景技術】
【０００２】
従来、様々な屋根の融雪方法が提案されている。例えば、実開１−１２２１５０号公報には屋根材の下にパイプを敷設し、パイプ中にヒータで暖めた温水を循環させて融雪する方法が開示されている。
実用新案登録第３２０７６５０号公報には、屋根材の下に敷設したパイプにエアコンの温風を循環させて融雪する方法が開示されている。
特開２０１８−１９０７４１号公報には、通電により発熱するカーボンナノチューブ層を備えた発熱シートを屋根上に敷設し、積雪を融雪する方法が開示されている。
【先行技術文献】
【特許文献】
【０００３】
【特許文献１】実開１−１２２１５０号公報
【特許文献２】実用新案登録第３２０７６５０号公報
【特許文献３】特開２０１８−１９０７４１号公報
【発明の概要】
【発明が解決しようとする課題】
【０００４】
上記した従来の温水や温風を利用する融雪方法は屋根にパイプを敷設する配管工事が不可欠であり、設置にコストと時間を要する。
また、カーボンナノチューブ層を備えた発熱シートは高価なため、やはり設置にコストが掛かる。
【０００５】
本発明は上記した問題点に鑑み、低コストで屋根に設置でき、ランニングコストも低い屋根の融雪及び雪庇防止方法を提供することを目的とする。
【課題を解決するための手段】
【０００６】
本発明に係る屋根の融雪及び雪庇防止方法は、複数個のＬＥＤチップを並べ樹脂で被覆して防水性を付与した帯状又はシート状の発熱体を屋根材に敷設し、ＬＥＤチップの発光に伴う発熱で屋根材上の積雪を融雪し、または屋根材に雪庇が形成されるのを防止するようにしたことを特徴とする。
【０００７】
そして、好ましくは、前記ＬＥＤチップとともに該ＬＥＤチップの点灯回路に含まれる回路素子を前記樹脂で被覆し、回路素子の発熱を融雪及び雪庇防止に利用する。
【０００８】
好ましくは、前記樹脂として透光性樹脂を用いる。
【０００９】
好ましくは、屋根材に伝熱シートを敷設し、伝熱シートの上に帯状又はシート状の発熱体を敷設する。
【００１０】
好ましくは、帯状又はシート状の発熱体に伝熱シートを被せる。
【００１１】
好ましくは、断熱シートの上に帯状又はシート状の発熱体を張り付け、この断熱シートを屋根材に敷設する。
【００１２】
また、好ましくは、帯状又はシート状の発熱体を屋根の勾配に沿って棟側から軒側へ延びるように敷設する。
【発明の効果】
【００１３】
本発明によれば、融雪及び雪庇防止工事として帯状又はシート状の発熱体を屋根材の上に敷設するだけで済むため、低コストで、しかも後加工で施工できる。
【００１４】
発熱源として消費電力の少ないＬＥＤチップの発熱を使用するので、低いランニングコストで融雪し、雪庇の発生を防止できる。また、ＬＥＤチップはＤＣ電源で作動するので、漏電や感電の心配がない。
【００１５】
ＬＥＤチップを透光性の樹脂で被覆すれば、ＬＥＤチップの発光によって、帯状又はシート状の発熱体に通電されて融雪中であることを視認でき、使い勝手が良くなる。
【００１６】
回路素子の発熱も利用することで、より効率的に融雪及び雪庇防止が可能となる。
【００１７】
屋根材に伝熱シートを敷いてその上に帯状又はシート状の発熱体を敷設すれば、ＬＥＤチップの熱が伝熱シートで覆われた広い範囲の屋根材に伝わるので、効果的に融雪及び雪庇防止が可能となる。
【００１８】
屋根材に断熱シートを敷いてその上に帯状又はシート状の発熱体を敷設すれば、帯状又はシート状の発熱体の熱が屋根に伝熱して逃げることなく積雪に伝わるので、融雪及び雪庇防止効果を高めることができる。
【００１９】
帯状又はシート状の発熱体を屋根の勾配に沿って棟側から軒側へと延びるように敷設すれば、解凍水が屋根の勾配に沿って軒先から流下する。そのため、積雪が速やかに無くなり、また雪庇が軒先に発生することは無い。
【図面の簡単な説明】
【００２０】
【図１】本発明の第１実施例に係る融雪及び雪庇防止方法を適用した屋根を示す説明図である。
【図２】同融雪及び雪庇防止方法に使用した帯状の発熱体を示す説明図である。
【図３】図２の３-３線から切断した断面図である。
【図４】本発明の第１実施例に係る融雪及び雪庇防止方法を適用した屋根の部分拡大説明図である。
【図５】本発明の第２実施例に係る融雪及び雪庇防止方法を適用した屋根を示す説明図である。
【図６】本発明の第２実施例に係る融雪及び雪庇防止方法を適用した屋根の部分拡大説明図である。
【図７】本発明の第３実施例に係る融雪及び雪庇防止方法に用いるシート状の発熱体を示す説明図である。
【実施例１】
【００２１】
以下に本発明を図面に基づき説明する。図１には本発明の第１実施例に係る融雪及び雪庇防止方法を備えた屋根１０が示されている。この屋根１０には屋根材として折板１１が葺設され、葺設した折瓦１１の谷部１１ａの上に複数本の帯状の発熱体１２が敷設されている。この帯状の発熱体１２は屋根の勾配に沿って棟側１０ａから軒側１０ｂへと延びている。
【００２２】
図２及び図３に拡大して示すように、帯状の発熱体１２は複数個のＬＥＤチップ１２ａを実装したフレキシブルプリント配線基板１２ｂを備えている。複数個のＬＥＤチップ１２ａは、フレキシブルプリント配線基板１２ｂの長手方向に沿って配置され、一列のＬＥＤチップ１２ａの列を形成している。家庭用の交流電源を直流に変換し、各ＬＥＤチップ１２ａに所要の電力を供給し、ＬＥＤチップ１２ａの点灯を制御する電源回路１２ｃが電源コード１２ｄを介してフレキシブルプリント配線基板１２ｂに接続されている。
【００２３】
フレキシブルプリント配線基板１２ｂの表裏両面は、同基板１２ｂに実装されたＬＥＤチップ１２ａを含めて熱可塑性の透明な軟質ポリ塩化ビニル樹脂１２ｅで被覆されている。この樹脂１２ｅは、電源コード１２ｄとフレキシブルプリント配線基板１２ｂとの接続部分、すなわち、電源コード１２ｄの先端部分のビニル絶縁体から露出した電線１２ｆがフレキシブルプリント配線基板１２ｂのプリント配線１２ｇに半田付けされている部分１２ｈも被覆している。
【００２４】
電源コード１２ｄは元来防水性を有し、またフレキシブルプリント配線基板１２ｂとＬＥＤチップ１２ａの列が、同基板１２ｂと電源コード１２ｄとの接続部分を含めて樹脂１２ｅで被覆されているので、帯状の発熱体１２は防水性を有する。
【００２５】
図４に拡大して示すように、折板１１には金属やシリコン樹脂等の熱伝導性の高い材料から成る伝熱シート１３が貼り付けられ、貼り付けた伝熱シート１３の上に帯状の発熱体１２が敷設されている。敷設した帯状の発熱体１２にはさらに伝熱シート１４が被せられ、被せた伝熱シート１４が帯状の発熱体１２と下の伝熱シート１３には貼り付けられている。
【００２６】
第１実施例に係る融雪及び雪庇防止方法を備えた屋根１０の構造は以上の通りであって、電源コード１２ｄを屋内又は屋外に設置した家庭用電源コンセントに接続し、帯状の発熱体１２のＬＥＤチップ１２ａの列を発光させると、発光に伴う発熱で折板１１の上の積雪が融雪されるとともに、軒先１０ｂに雪庇が発生するのを防止できる。
【００２７】
本実施例に係る融雪及び雪庇防止方法によれば、融雪及び雪庇防止工事として帯状の発熱体１２と伝熱シート１３、１４を折板１１の上に敷設するだけで済むため、低コストで、しかも後加工で施工できる。
【００２８】
発熱源として消費電力の少ないＬＥＤチップ１２ａの列の発熱を使用するので、低いランニングコストで凍結防止及び融雪方法を実施できる。また、ＬＥＤチップ１２ａの列はＤＣ電源で作動するので、漏電や感電の心配がない。
【００２９】
帯状の発熱体１２は、ＬＥＤチップ１２ａの列を透明な軟質ポリ塩化ビニル樹脂１２ｅで被覆して防水性を付与したので、軒先の伝熱シート１３、１４の隙間から漏れ出るＬＥＤチップ１２ａの光で帯状の発熱体１２に通電されていることを視認でき、使い勝手が良い。
【００３０】
折板１１に伝熱シート１３を敷いてその上に帯状の発熱体１２を敷設したので、ＬＥＤチップ１２ａの列の熱が伝熱シート１３で覆われた広い範囲の折板１１に伝わり、効果的に融雪及び雪庇防止が可能となる。
【００３１】
また、帯状の発熱体１２を屋根１０の勾配に沿って棟側１０ａから軒側１０ｂへと延びるように敷設したので、解凍水が屋根１０の勾配に沿って軒先１０ｂから流下する。そのため、積雪が速やかに無くなり、また雪庇が軒先１０ｂに発生することは無い。
【実施例２】
【００３２】
図５に本発明の第２実施例に係る融雪及び雪庇防止方法を備えた屋根２０が示されている。この屋根２０には屋根材としてトタン板２１が葺設され、葺設したトタン板２１の上に複数本の帯状の発熱体１２が敷設されている。この帯状の発熱体１２は屋根２０の傾斜に沿って棟側１０ａから軒側１０ｂへと延びている。
【００３３】
図６に拡大して示すように、トタン板２１には樹脂発泡材、木質材、石膏材等断熱性を有する断熱シート１５が張り付けられ、断熱シート１５に伝熱シート１３が貼り付けられている。そして、貼り付けた伝熱シート１３の上に帯状の発熱体１２が敷設されている。敷設した帯状の発熱体１２にはさらに伝熱シート１４が被せられ、被せた伝熱シート１４が帯状の発熱体１２と下の伝熱シート１３には貼り付けられている。
【００３４】
本実施例に係る融雪及び雪庇防止方法によれば、トタン板２１に断熱シート１５を敷いてその上に帯状の発熱体１２を敷設したので、帯状の発熱体１２の熱がトタン板２１に伝熱して逃げることなく積雪に伝わり、融雪及び雪庇防止効果を高めることができる。
【実施例３】
【００３５】
図７に本発明の第３実施例に係る融雪及び雪庇防止方法に用いるシート状の発熱体１６を示す。当該シート状の発熱体１６はフレキシブル基板上１２ｂに複数個のＬＥＤチップ１２aが縦及び横方向に並べられて、面状の発光面を形成している。また、過電流によってＬＥＤチップ１２aが損傷するのを防止するためチップ抵抗器１２ｋがＬＥＤチップ１２ａの点灯回路に設けられている。そして、これらＬＥＤチップ１２ａとチップ抵抗器１２ｋが樹脂１２ｅで被覆され、防水性が付与されている。
なお、本実施例に係るシート状の発熱体１６の他の構成は図２に示す帯状の発熱体１２と同じであるので、同一の構成要素に同一の符号を付して説明を省略する。
【００３６】
本発明の第３実施例に係る融雪及び雪庇防止方法に用いるシート状の発熱体１６の構成は以上の通りであって融雪及び雪庇防止にこのシート状の発熱体１６を用いることで、短い作業時間で屋根の広い範囲に敷設でき、施工作業が容易になる。
なお、本実施例では、ＬＥＤチップ１２aとともに、チップ抵抗器１２ｋを樹脂１２ｅで被覆したが、ＬＥＤチップ１２ａの点灯回路を構成する集積回路やトランジスタ等、他の回路素子も樹脂１２ｅで被覆してそれらの発熱を融雪に利用することもできる。
また、ＬＥＤチップ１２ａを縦横に規則正しく並べたが、不規則に並べて面状の発光面を形成することもできる。
【符号の説明】
【００３７】
１０…屋根
１０ａ…棟側
１０ｂ…軒側
１１…折板
１２…帯状の発熱体
１２ａ…ＬＥＤチップ
１２ｂ…基板
１２ｃ…電源回路
１２ｅ…樹脂
１３、１４…伝熱シート
１５…断熱シート
１６…シート状の発熱体
２０…屋根
２１…トタン板
【図１】
2020133140.tif 000003
【図２】
2020133140.tif 000004
【図３】
2020133140.tif 000005
【図４】
2020133140.tif 000006
【図５】
2020133140.tif 000007
【図６】
2020133140.tif 000008
【図７】
2020133140.tif 000009